(57)【要約】【課題】  小型化を図ると共に高い平衡度を確保して伝送特性の向上を図る。【解決手段】  内部空間が形成された筐体を有する第１の接続ユニットと、第２の筐体と第２の筐体から突出された接続体とを有し第１の接続ユニットに連結される第２の接続ユニットとを設け、内部空間が第１の配置部と第２の配置部を有し、第１の接続ユニットに第１の配置部に配置された第１の同軸ケーブルと第２の配置部に配置された第２の同軸ケーブルとが設けられ、接続体に第１の同軸ケーブルに接続される第１の接続リングと第２の配置部に配置されて第２の同軸ケーブルに接続される第２の接続リングとが設けられ、第２の接続ユニットに第１の接続リングに接続された第３の同軸ケーブルと第２の接続リングに接続された第４の同軸ケーブルとが設けられ、第１の接続ユニットと第２の接続ユニットのうち少なくとも一方が他方に対して第１の接続リングと第２の接続リングの軸回り方向へ回転可能とされた。【選択図】        図１１
2013098071.tif 000002
【特許請求の範囲】
【請求項１】
内部空間が形成され導電性材料によって形成された第１の筐体を有する第１の接続ユニットと、
導電性材料によって形成された第２の筐体と前記第２の筐体に固定された状態で前記第２の筐体から外方へ突出された接続体とを有すると共に前記接続体が前記内部空間に挿入されて前記第１の接続ユニットに連結される第２の接続ユニットとを備え、
前記内部空間が第１の配置部と第２の配置部を有し、
前記第１の接続ユニットに、前記第１の筐体を挿通されて一端部が前記第１の配置部に配置された第１の同軸ケーブルと、前記第１の筐体を挿通されて一端部が前記第２の配置部に配置された第２の同軸ケーブルとが設けられ、
前記接続体に、前記第１の配置部に配置されて前記第１の同軸ケーブルに接続される第１の接続リングと、前記第１の接続リングと同軸上に位置され前記第２の配置部に配置されて前記第２の同軸ケーブルに接続される第２の接続リングとが設けられ、
前記第２の接続ユニットに、前記第２の筐体及び前記第２の接続リングを挿通されて一端部が前記第１の接続リングに接続された第３の同軸ケーブルと、前記第２の筐体を挿通されて一端部が前記第２の接続リングに接続された第４の同軸ケーブルとが設けられ、
前記第１の接続ユニットと前記第２の接続ユニットのうち少なくとも一方が他方に対して前記第１の接続リングと前記第２の接続リングの軸回り方向へ回転可能とされた
接続装置。
【請求項２】
前記内部空間に前記第１の配置部と前記第２の配置部を連通し前記第３の同軸ケーブルが挿通される連通部が形成され、
前記接続体に、前記第１の接続リングと前記第２の接続リングの間に位置され前記連通部に配置されて前記第１の配置部と前記第２の配置部の電界を分離するシールド部材が設けられた
請求項１に記載の接続装置。
【請求項３】
前記第１の配置部に導電性材料によって形成された円柱状又は円筒状の導電部材が配置され、
前記導電部材が前記第３の同軸ケーブルと平行に配置され前記第１の接続リングを挿通された状態で前記第１の筐体に接触された
請求項１に記載の接続装置。
【請求項４】
前記導電部材を前記第４の同軸ケーブルと同軸上に配置した
請求項３に記載の接続装置。
【請求項５】
前記導電部材の外径を前記第４の同軸ケーブルの外径と同じにした
請求項３に記載の接続装置。
【請求項６】
前記内部空間に前記第２の配置部に連通され前記第１の筐体の外面に開口されると共に前記第３の同軸ケーブルと前記第４の同軸ケーブルが挿通される挿通部が形成され、
前記接続体に、前記挿通部に配置されて前記第２の配置部と前記第１の筐体の外部との電界を分離するシールド部材が設けられた
請求項１に記載の接続装置。
【請求項７】
前記第１の同軸ケーブルと前記第２の同軸ケーブルが前記第１の配置部及び前記第２の配置部にそれぞれ配置された前記第１の接続リングと第２の接続リングを挟んで１８０°反対側に配置された
請求項３に記載の接続装置。
【請求項８】
前記第１の接続リングの内側と前記第２の接続リングの内側にそれぞれ両端部が前記第１の接続リングと前記第２の接続リングに接続された配線部が配置され、
前記各配線部にそれぞれ前記第３の同軸ケーブルと前記第４の同軸ケーブルが接続されてそれぞれ前記第３の同軸ケーブルと前記第４の同軸ケーブルが前記各配線部を介して前記第１の接続リングと前記第２の接続リングに接続され、
前記各配線部の両端部がそれぞれ前記第１の接続リングと前記第２の接続リングの周方向における１８０°反対側の部分に接続された
請求項１に記載の接続装置。
【請求項９】
前記第１の配置部に導電性材料によって形成された円柱状又は円筒状の導電部材が配置され、
前記導電部材が前記第３の同軸ケーブルと平行に配置され前記第１の接続リングを挿通された状態で前記第１の筐体に接触され、
前記第１の接続リングに接続された配線部と前記第３の同軸ケーブルと前記導電部材の位置関係が、前記第２の接続リングに接続された配線部と前記第４の同軸ケーブルと前記第３の同軸ケーブルの位置関係に対して前記第１の接続リングと前記第２の接続リングの軸中心を基準として点対称の関係にされた
請求項８に記載の接続装置。
【請求項１０】
前記第１の筐体の外面に第１の接続ポートとして形成される前記第１の同軸ケーブルの他端面が位置され、
前記第１の筐体の外面に第２の接続ポートとして形成される前記第２の同軸ケーブルの他端面が位置され、
前記第２の筐体の外面に第３の接続ポートとして形成される前記第３の同軸ケーブルの他端面が位置され、
前記第２の筐体の外面に第４の接続ポートとして形成される前記第４の同軸ケーブルの他端面が位置され、
信号の伝送路になる前記第１のポートから前記第３のポートまでの長さと信号の伝送路になる前記第２のポートから前記第４のポートまでの長さとが同じにされた
請求項１に記載の接続装置。
【請求項１１】
前記第１の同軸ケーブルの一端部と前記第２の同軸ケーブルの一端部にそれぞれ接点部が取り付けられ、
前記各接点部がそれぞれ前記第１の接続リングと前記第２の接続リングに接触され、
前記第１の接続ユニット又は前記第２の接続ユニットの回転に伴って前記各接点部が前記第１の接続リングと前記第２の接続リングにそれぞれ摺動されるようにした
請求項１に記載の接続装置。
【請求項１２】
内部空間が形成され導電性材料によって形成された第１の筐体を有する第１の接続ユニットが内部に配置された第１のケース体と、
導電性材料によって形成された第２の筐体と前記第２の筐体に固定された状態で前記第２の筐体から外方へ突出された接続体とを有すると共に前記接続体が前記内部空間に挿入されて前記第１の接続ユニットに連結される第２の接続ユニットが内部に配置された第２のケース体とを備え、
前記内部空間が第１の配置部と第２の配置部を有し、
前記第１の接続ユニットに、前記第１の筐体を挿通されて一端部が前記第１の配置部に配置された第１の同軸ケーブルと、前記第１の筐体を挿通されて一端部が前記第２の配置部に配置された第２の同軸ケーブルとが設けられ、
前記接続体に、前記第１の配置部に配置されて前記第１の同軸ケーブルに接続される第１の接続リングと、前記第１の接続リングと同軸上に位置され前記第２の配置部に配置されて前記第２の同軸ケーブルに接続される第２の接続リングとが設けられ、
前記第２の接続ユニットに、前記第２の筐体及び前記第２の接続リングを挿通されて一端部が前記第１の接続リングに接続された第３の同軸ケーブルと、前記第２の筐体を挿通されて一端部が前記第２の接続リングに接続された第４の同軸ケーブルとが設けられ、
前記第１の接続ユニットと前記第２の接続ユニットのうち少なくとも一方が他方に対して前記第１の接続リングと前記第２の接続リングの軸回り方向へ回転可能とされた
電子機器。
【発明の詳細な説明】
【技術分野】
【０００１】
本技術は接続装置及び電子機器についての技術分野に関する。詳しくは、二つの接続リングを有する接続体を筐体の内部空間に形成された二つの配置部にそれぞれ配置し接続リングに接続される各同軸ケーブルを接続リングに対して所定の位置に配置して小型化を図ると共に高い平衡度を確保して伝送特性の向上を図る技術分野に関する。
【背景技術】
【０００２】
携帯電話、音声記録再生装置、画像記録再生装置、撮像装置、情報処理装置、ネットワーク通信装置等の各種の電子機器には、第１のケース体と第２のケース体がヒンジ部を介して連結され、第１のケース体が第２のケース体に対して回転可能な構成にされたものがある（例えば、特許文献１及び特許文献２参照）。
【０００３】
特許文献１及び特許文献２には、電子機器として、例えば、携帯電話が記載されており、第１のケース体に操作部が設けられ第２のケース体に表示部が設けられ、第２のケース体が第１のケース体に対して回転可能とされている。
【０００４】
第１のケース体と第２のケース体の内部にはそれぞれ電子回路や電子デバイス等が配置されており、第１のケース体の内部に配置された電子回路や電子デバイス等と第２のケース体の内部に配置された電子回路や電子デバイス等とがケーブルによって接続される。電子回路や電子デバイス等を接続するケーブル等はヒンジ部を挿通された状態で第１のケース体と第２のケース体の内部に配置されている。
【０００５】
上記のような携帯電話等における伝送方式として、例えば、パラレル信号による伝送方式があり、パラレル信号による伝送方式においては、例えば、５０本程度の多数の信号線が必要である。
【０００６】
従って、携帯電話等においてパラレル信号による伝送方式を用いると、第２のケース体が第１のケース体に対して回転されたときに、ケーブルのうちヒンジ部に挿通されている部分に生じる捻れや引っ張りによって信号線の断線が生じるおそれがある。従って、パラレル信号による伝送方式を用いた携帯電話等にあっては、捻れや引っ張りによる信号線の断線を防止するために、第２のケース体の第１のケース体に対する回転範囲（回転角度）を限定する必要がある。
【０００７】
一方、携帯電話等における伝送方式として、シリアル信号による伝送方式があり、シリアル信号による伝送方式においては、１〜２本の信号線によってデーター（信号）を伝送することが可能である。
【０００８】
携帯電話等においてシリアル信号による伝送方式を用いることにより、信号線の本数がパラレル信号による伝送方式を用いた場合に比し大幅に低減され、第２のケース体が第１のケース体に対して回転されたときに、ケーブルに捻れや引っ張りが生じ難くなる。従って、信号線の信頼性を確保した上で第２のケース体の第１のケース体に対する回転範囲を大きくすることが可能である。
【０００９】
上記のようなシリアル信号による伝送方式を用いる場合には、第２のケース体が第１のケース体に対して回転される構成において、ヒンジ部にスリップリングと称される接続リングを有する接続装置を組み込むことが可能である。
【００１０】
接続リングには第２のケース体の電子回路等に接続されたケーブルが固定され、接続リングの外周面には第１のケース体の電子回路等に接続された接点部が接続される。接続リングは第２のケース体に伴って軸回り方向へ回転され、このとき接点部が接続リングの外周面に摺動されることにより、第２のケース体の第１のケース体に対する回転角度に拘わらず各電子回路等の間の導通が図られる。
【００１１】
また、シリアル信号による伝送方式を用いる場合には、１本の信号線によってデーターを伝送するシングルエンド接続と称される接続方法と、極性の異なる２本の信号線によってデーターを伝送する差動信号接続と称される接続方法がある。差動信号接続を用いる場合には、シングルエンド接続に対して信号線の本数が多くなるが、差動信号接続はシングルエンド接続に対して耐雑音性に優れるため、携帯電話等の電子機器に好適な構成である。
【００１２】
上記した接続リングを有する接続装置を用いた構造において差動信号接続を用いる場合には、複数の接続リングが同軸上に並んで配置され各接続リングにそれぞれ極性の異なる信号線（ケーブル）がそれぞれ固定され、各接続リングの外周面に第１のケース体の電子回路等に接続された各接点部がそれぞれ接続される。複数の接続リングは第２のケース体に伴って一体になって軸回り方向へ回転され、このとき各接点部が各接続リングの外周面に摺動されることにより、第２のケース体の第１のケース体に対する回転角度に拘わらず各電子回路等の間の導通が図られる。
【００１３】
尚、上記した接続リングを用いた接続装置において、グランド線が用いられる場合には、上記した構成に加えてグランド線用の接続リングが他の接続リングと同軸上に配置される場合もある。
【００１４】
【特許文献１】特開２０１１−１９９７６６号公報
【特許文献２】特開２００３−３３６６２０号公報
【発明の開示】
【発明が解決しようとする課題】
【００１５】
ところで、近年、携帯電話等の電子機器の小型化の要求が高く、上記のような接続リングを用いた接続装置においても小型化を図ってヒンジ部に組み込む必要性が高い。また、接続リングの小型化を図ることにより、周波数特性の向上を図ることもでき、差動信号接続を用いることにより、上記したように、耐雑音性の向上を図ることができる。
【００１６】
ところが、接続装置を小型化した場合には、接続装置に設けられた各部品間の結合度（容量結合、誘導結合）が相対的に大きくなり易く、信号の伝送路間（差動信号対）の平衡度が低下して接続装置における伝送特性が低下するおそれがある。
【００１７】
そこで、本技術接続装置及び電子機器は、上記した問題点を克服し、小型化を図ると共に高い平衡度を確保して伝送特性の向上を図ることを課題とする。
【課題を解決するための手段】
【００１８】
第１に、接続装置は、上記した課題を解決するために、内部空間が形成され導電性材料によって形成された第１の筐体を有する第１の接続ユニットと、導電性材料によって形成された第２の筐体と前記第２の筐体に固定された状態で前記第２の筐体から外方へ突出された接続体とを有すると共に前記接続体が前記内部空間に挿入されて前記第１の接続ユニットに連結される第２の接続ユニットとを備え、前記内部空間が第１の配置部と第２の配置部を有し、前記第１の接続ユニットに、前記第１の筐体を挿通されて一端部が前記第１の配置部に配置された第１の同軸ケーブルと、前記第１の筐体を挿通されて一端部が前記第２の配置部に配置された第２の同軸ケーブルとが設けられ、前記接続体に、前記第１の配置部に配置されて前記第１の同軸ケーブルに接続される第１の接続リングと、前記第１の接続リングと同軸上に位置され前記第２の配置部に配置されて前記第２の同軸ケーブルに接続される第２の接続リングとが設けられ、前記第２の接続ユニットに、前記第２の筐体及び前記第２の接続リングを挿通されて一端部が前記第１の接続リングに接続された第３の同軸ケーブルと、前記第２の筐体を挿通されて一端部が前記第２の接続リングに接続された第４の同軸ケーブルとが設けられ、前記第１の接続ユニットと前記第２の接続ユニットのうち少なくとも一方が他方に対して前記第１の接続リングと前記第２の接続リングの軸回り方向へ回転可能とされたものである。
【００１９】
従って、接続装置にあっては、第１の配置部に配置された第１の接続リングを介して第１の同軸ケーブルと第３の同軸ケーブルが接続されると共に第２の配置部に配置された第２の接続リングを介して第２の同軸ケーブルと第４の同軸ケーブルが接続された状態で第１の接続ユニットと第２の接続ユニットの一方が他方に対して回転される。
【００２０】
第２に、上記した接続装置においては、前記内部空間に前記第１の配置部と前記第２の配置部を連通し前記第３の同軸ケーブルが挿通される連通部が形成され、前記接続体に、前記第１の接続リングと前記第２の接続リングの間に位置され前記連通部に配置されて前記第１の配置部と前記第２の配置部の電界を分離するシールド部材が設けられることが望ましい。
【００２１】
内部空間に第１の配置部と第２の配置部を連通し第３の同軸ケーブルが挿通される連通部が形成され、接続体に、第１の接続リングと第２の接続リングの間に位置され連通部に配置されて第１の配置部と第２の配置部の電界を分離するシールド部材が設けられることにより、第１の同軸ケーブルと第３の同軸ケーブルを有する第１の伝送系統における伝送と第２の同軸ケーブルと第４の同軸ケーブルを有する第２の伝送系統における伝送との間で互いに影響が及ばない。
【００２２】
第３に、上記した接続装置においては、前記第１の配置部に導電性材料によって形成された円柱状又は円筒状の導電部材が配置され、前記導電部材が前記第３の同軸ケーブルと平行に配置され前記第１の接続リングを挿通された状態で前記第１の筐体に接触されることが望ましい。
【００２３】
第１の配置部に導電性材料によって形成された円柱状又は円筒状の導電部材が配置され、導電部材が第３の同軸ケーブルと平行に配置され第１の接続リングを挿通された状態で第１の筐体に接触されることにより、第１の配置部に配置された第１の接続リングと第２の配置部に配置された第２の接続リングの容量結合の程度の差が抑制される。
【００２４】
第４に、上記した接続装置においては、前記導電部材を前記第４の同軸ケーブルと同軸上に配置することが望ましい。
【００２５】
導電部材を第４の同軸ケーブルと同軸上に配置することにより、平衡度の劣化が一層抑制される。
【００２６】
第５に、上記した接続装置においては、前記導電部材の外径を前記第４の同軸ケーブルの外径と同じにすることが望ましい。
【００２７】
導電部材の外径を第４の同軸ケーブルの外径と同じにすることにより、平衡度の劣化がより一層抑制される。
【００２８】
第６に、上記した接続装置においては、前記内部空間に前記第２の配置部に連通され前記第１の筐体の外面に開口されると共に前記第３の同軸ケーブルと前記第４の同軸ケーブルが挿通される挿通部が形成され、前記接続体に、前記挿通部に配置されて前記第２の配置部と前記第１の筐体の外部との電界を分離するシールド部材が設けられることが望ましい。
【００２９】
内部空間に第２の配置部に連通され第１の筐体の外面に開口されると共に第３の同軸ケーブルと第４の同軸ケーブルが挿通される挿通部が形成され、接続体に、挿通部に配置されて第２の配置部と第１の筐体の外部との電界を分離するシールド部材が設けられることにより、内部空間の第２の配置部がシールド部材によってシールドされる。
【００３０】
第７に、上記した接続装置においては、前記第１の同軸ケーブルと前記第２の同軸ケーブルが前記第１の配置部及び前記第２の配置部にそれぞれ配置された前記第１の接続リングと第２の接続リングを挟んで１８０°反対側に配置されることが望ましい。
【００３１】
第１の同軸ケーブルと第２の同軸ケーブルが第１の配置部及び第２の配置部にそれぞれ配置された第１の接続リングと第２の接続リングを挟んで１８０°反対側に配置されることにより、第１の同軸ケーブルと第２の同軸ケーブルとの間で容量結合の差が生じない。
【００３２】
第８に、上記した接続装置においては、前記第１の接続リングの内側と前記第２の接続リングの内側にそれぞれ両端部が前記第１の接続リングと前記第２の接続リングに接続された配線部が配置され、前記各配線部にそれぞれ前記第３の同軸ケーブルと前記第４の同軸ケーブルが接続されてそれぞれ前記第３の同軸ケーブルと前記第４の同軸ケーブルが前記各配線部を介して前記第１の接続リングと前記第２の接続リングに接続され、前記各配線部の両端部がそれぞれ前記第１の接続リングと前記第２の接続リングの周方向における１８０°反対側の部分に接続されることが望ましい。
【００３３】
各配線部の両端部がそれぞれ第１の接続リングと第２の接続リングの周方向における１８０°反対側の部分に接続されることにより、第２の接続ユニットの第１の接続ユニットに対する回転位置に拘わらず、第１の接続リングと第２の接続リングをそれぞれ伝送される信号の伝送時間の変動が抑制される。
【００３４】
第９に、上記した接続装置においては、前記第１の配置部に導電性材料によって形成された円柱状又は円筒状の導電部材が配置され、前記導電部材が前記第３の同軸ケーブルと平行に配置され前記第１の接続リングを挿通された状態で前記第１の筐体に接触され、前記第１の接続リングに接続された配線部と前記第３の同軸ケーブルと前記導電部材の位置関係が、前記第２の接続リングに接続された配線部と前記第４の同軸ケーブルと前記第３の同軸ケーブルの位置関係に対して前記第１の接続リングと前記第２の接続リングの軸中心を基準として点対称の関係にされることが望ましい。
【００３５】
第１の接続リングに接続された配線部と第３の同軸ケーブルと導電部材の位置関係が、第２の接続リングに接続された配線部と第４の同軸ケーブルと第３の同軸ケーブルの位置関係に対して第１の接続リングと第２の接続リングの軸中心を基準として点対称の関係にされることにより、第１の配置部における第１の接続リングと他の各部との結合度と、第２の配置部における第２の接続リングと他の各部との結合度とに差が生じない。
【００３６】
第１０に、上記した接続装置においては、前記第１の筐体の外面に第１の接続ポートとして形成される前記第１の同軸ケーブルの他端面が位置され、前記第１の筐体の外面に第２の接続ポートとして形成される前記第２の同軸ケーブルの他端面が位置され、前記第２の筐体の外面に第３の接続ポートとして形成される前記第３の同軸ケーブルの他端面が位置され、前記第２の筐体の外面に第４の接続ポートとして形成される前記第４の同軸ケーブルの他端面が位置され、信号の伝送路になる前記第１のポートから前記第３のポートまでの長さと信号の伝送路になる前記第２のポートから前記第４のポートまでの長さとが同じにされることが望ましい。
【００３７】
信号の伝送路になる第１のポートから第３のポートまでの長さと信号の伝送路になる第２のポートから第４のポートまでの長さとが同じにされることにより、第１の同軸ケーブルと第３の同軸ケーブルを有する第１の伝送系統と第２の同軸ケーブルと第４の同軸ケーブルを有する第２の伝送系統とにおける信号の伝送時間が等しくなる。
【００３８】
第１１に、上記した接続装置においては、前記第１の同軸ケーブルの一端部と前記第２の同軸ケーブルの一端部にそれぞれ接点部が取り付けられ、前記各接点部がそれぞれ前記第１の接続リングと前記第２の接続リングに接触され、前記第１の接続ユニット又は前記第２の接続ユニットの回転に伴って前記各接点部が前記第１の接続リングと前記第２の接続リングにそれぞれ摺動されるようにすることが望ましい。
【００３９】
第１の接続ユニット又は第２の接続ユニットの回転に伴って各接点部が第１の接続リングと第２の接続リングにそれぞれ摺動されるようにすることにより、第１の接続ユニット又は第２の接続ユニットの回転時に各接点部と第１の接続リング及び第２の接続リングとの接続状態が保持される。
【００４０】
電子機器は、上記した課題を解決するために、内部空間が形成され導電性材料によって形成された第１の筐体を有する第１の接続ユニットが内部に配置された第１のケース体と、導電性材料によって形成された第２の筐体と前記第２の筐体に固定された状態で前記第２の筐体から外方へ突出された接続体とを有すると共に前記接続体が前記内部空間に挿入されて前記第１の接続ユニットに連結される第２の接続ユニットが内部に配置された第２のケース体とを備え、前記内部空間が第１の配置部と第２の配置部を有し、前記第１の接続ユニットに、前記第１の筐体を挿通されて一端部が前記第１の配置部に配置された第１の同軸ケーブルと、前記第１の筐体を挿通されて一端部が前記第２の配置部に配置された第２の同軸ケーブルとが設けられ、前記接続体に、前記第１の配置部に配置されて前記第１の同軸ケーブルに接続される第１の接続リングと、前記第１の接続リングと同軸上に位置され前記第２の配置部に配置されて前記第２の同軸ケーブルに接続される第２の接続リングとが設けられ、前記第２の接続ユニットに、前記第２の筐体及び前記第２の接続リングを挿通されて一端部が前記第１の接続リングに接続された第３の同軸ケーブルと、前記第２の筐体を挿通されて一端部が前記第２の接続リングに接続された第４の同軸ケーブルとが設けられ、前記第１の接続ユニットと前記第２の接続ユニットのうち少なくとも一方が他方に対して前記第１の接続リングと前記第２の接続リングの軸回り方向へ回転可能とされたものである。
【００４１】
従って、電子機器にあっては、第１の配置部に配置された第１の接続リングを介して第１の同軸ケーブルと第３の同軸ケーブルが接続されると共に第２の配置部に配置された第２の接続リングを介して第２の同軸ケーブルと第４の同軸ケーブルが接続された状態で第１の接続ユニットと第２の接続ユニットの一方が他方に対して回転される。
【発明の効果】
【００４２】
本技術接続装置は、内部空間が形成され導電性材料によって形成された第１の筐体を有する第１の接続ユニットと、導電性材料によって形成された第２の筐体と前記第２の筐体に固定された状態で前記第２の筐体から外方へ突出された接続体とを有すると共に前記接続体が前記内部空間に挿入されて前記第１の接続ユニットに連結される第２の接続ユニットとを備え、前記内部空間が第１の配置部と第２の配置部を有し、前記第１の接続ユニットに、前記第１の筐体を挿通されて一端部が前記第１の配置部に配置された第１の同軸ケーブルと、前記第１の筐体を挿通されて一端部が前記第２の配置部に配置された第２の同軸ケーブルとが設けられ、前記接続体に、前記第１の配置部に配置されて前記第１の同軸ケーブルに接続される第１の接続リングと、前記第１の接続リングと同軸上に位置され前記第２の配置部に配置されて前記第２の同軸ケーブルに接続される第２の接続リングとが設けられ、前記第２の接続ユニットに、前記第２の筐体及び前記第２の接続リングを挿通されて一端部が前記第１の接続リングに接続された第３の同軸ケーブルと、前記第２の筐体を挿通されて一端部が前記第２の接続リングに接続された第４の同軸ケーブルとが設けられ、前記第１の接続ユニットと前記第２の接続ユニットのうち少なくとも一方が他方に対して前記第１の接続リングと前記第２の接続リングの軸回り方向へ回転可能とされている。
【００４３】
従って、接続装置の小型化を図ると共に高い平衡度を確保して伝送特性の向上を図ることができる。
【００４４】
請求項２に記載した技術にあっては、前記内部空間に前記第１の配置部と前記第２の配置部を連通し前記第３の同軸ケーブルが挿通される連通部が形成され、前記接続体に、前記第１の接続リングと前記第２の接続リングの間に位置され前記連通部に配置されて前記第１の配置部と前記第２の配置部の電界を分離するシールド部材が設けられている。
【００４５】
従って、第１の同軸ケーブルと第３の同軸ケーブルを有する第１の伝送系統における伝送と第２の同軸ケーブルと第４の同軸ケーブルを有する第２の伝送系統における伝送との間で互いに影響が及ばず、信号線間の結合度が低減されコモンモードレベルが低減されるため、伝送特性の向上を図ることができる。
【００４６】
請求項３に記載した技術にあっては、前記第１の配置部に導電性材料によって形成された円柱状又は円筒状の導電部材が配置され、前記導電部材が前記第３の同軸ケーブルと平行に配置され前記第１の接続リングを挿通された状態で前記第１の筐体に接触されている。
【００４７】
従って、第１の配置部に配置された第１の接続リングが導電部材に結合し、第１の配置部に配置された第１の接続リングと第２の配置部に配置された第２の接続リングの容量結合の程度の差が抑制されて平衡度の劣化が抑制され、伝送特性の向上を図ることができる。
【００４８】
請求項４に記載した技術にあっては、前記導電部材を前記第４の同軸ケーブルと同軸上に配置している。
【００４９】
従って、平衡度の劣化が一層抑制され、伝送特性の一層の向上を図ることができる。
【００５０】
請求項５に記載した技術にあっては、前記導電部材の外径を前記第４の同軸ケーブルの外径と同じにしている。
【００５１】
従って、平衡度の劣化がより一層抑制され、伝送特性のより一層の向上を図ることができる。
【００５２】
請求項６に記載した技術にあっては、前記内部空間に前記第２の配置部に連通され前記第１の筐体の外面に開口されると共に前記第３の同軸ケーブルと前記第４の同軸ケーブルが挿通される挿通部が形成され、前記接続体に、前記挿通部に配置されて前記第２の配置部と前記第１の筐体の外部との電界を分離するシールド部材が設けられている。
【００５３】
従って、内部空間の第２の配置部がシールド部材によってシールドされ、伝送特性の向上を図ることができる。
【００５４】
請求項７に記載した技術にあっては、前記第１の同軸ケーブルと前記第２の同軸ケーブルが前記第１の配置部及び前記第２の配置部にそれぞれ配置された前記第１の接続リングと第２の接続リングを挟んで１８０°反対側に配置されている。
【００５５】
従って、第２の接続ユニットの第１の接続ユニットに対する回転位置に拘わらず第１の同軸ケーブルと第２の同軸ケーブルとの間で容量結合の差が生じず、平衡度の劣化が抑制され、伝送特性の向上を図ることができる。
【００５６】
請求項８に記載した技術にあっては、前記第１の接続リングの内側と前記第２の接続リングの内側にそれぞれ両端部が前記第１の接続リングと前記第２の接続リングに接続された配線部が配置され、前記各配線部にそれぞれ前記第３の同軸ケーブルと前記第４の同軸ケーブルが接続されてそれぞれ前記第３の同軸ケーブルと前記第４の同軸ケーブルが前記各配線部を介して前記第１の接続リングと前記第２の接続リングに接続され、前記各配線部の両端部がそれぞれ前記第１の接続リングと前記第２の接続リングの周方向における１８０°反対側の部分に接続されている。
【００５７】
従って、第２の接続ユニットの第１の接続ユニットに対する回転位置に拘わらず、第１の接続リングを伝送される信号の伝送時間の変動を抑制することができ、伝送特性の向上を図ることができる。
【００５８】
請求項９に記載した技術にあっては、前記第１の配置部に導電性材料によって形成された円柱状又は円筒状の導電部材が配置され、前記導電部材が前記第３の同軸ケーブルと平行に配置され前記第１の接続リングを挿通された状態で前記第１の筐体に接触され、前記第１の接続リングに接続された配線部と前記第３の同軸ケーブルと前記導電部材の位置関係が、前記第２の接続リングに接続された配線部と前記第４の同軸ケーブルと前記第３の同軸ケーブルの位置関係に対して前記第１の接続リングと前記第２の接続リングの軸中心を基準として点対称の関係にされている。
【００５９】
従って、第１の配置部における第１の接続リングと他の各部との結合度と、第２の配置部における第２の接続リングと他の各部との結合度とに差がなく、平衡度が保持され、伝送特性の向上を図ることができる。
【００６０】
請求項１０に記載した技術にあっては、前記第１の筐体の外面に第１の接続ポートとして形成される前記第１の同軸ケーブルの他端面が位置され、前記第１の筐体の外面に第２の接続ポートとして形成される前記第２の同軸ケーブルの他端面が位置され、前記第２の筐体の外面に第３の接続ポートとして形成される前記第３の同軸ケーブルの他端面が位置され、前記第２の筐体の外面に第４の接続ポートとして形成される前記第４の同軸ケーブルの他端面が位置され、信号の伝送路になる前記第１のポートから前記第３のポートまでの長さと信号の伝送路になる前記第２のポートから前記第４のポートまでの長さとが同じにされている。
【００６１】
従って、第１の同軸ケーブルと第３の同軸ケーブルを有する第１の伝送系統と第２の同軸ケーブルと第４の同軸ケーブルを有する第２の伝送系統とにおける信号の伝送時間が等しくなり、伝送特性の向上を図ることができる。
【００６２】
請求項１１に記載した技術にあっては、前記第１の同軸ケーブルの一端部と前記第２の同軸ケーブルの一端部にそれぞれ接点部が取り付けられ、前記各接点部がそれぞれ前記第１の接続リングと前記第２の接続リングに接触され、前記第１の接続ユニット又は前記第２の接続ユニットの回転に伴って前記各接点部が前記第１の接続リングと前記第２の接続リングにそれぞれ摺動されるようにしている。
【００６３】
従って、第１の同軸ケーブルと第３の同軸ケーブルの間の円滑かつ確実な電気的な接続を図ることができると共に第２の同軸ケーブルと第４の同軸ケーブルの間の円滑かつ確実な電気的な接続を図ることができる。
【００６４】
本技術電子機器は、内部空間が形成され導電性材料によって形成された第１の筐体を有する第１の接続ユニットが内部に配置された第１のケース体と、導電性材料によって形成された第２の筐体と前記第２の筐体に固定された状態で前記第２の筐体から外方へ突出された接続体とを有すると共に前記接続体が前記内部空間に挿入されて前記第１の接続ユニットに連結される第２の接続ユニットが内部に配置された第２のケース体とを備え、前記内部空間が第１の配置部と第２の配置部を有し、前記第１の接続ユニットに、前記第１の筐体を挿通されて一端部が前記第１の配置部に配置された第１の同軸ケーブルと、前記第１の筐体を挿通されて一端部が前記第２の配置部に配置された第２の同軸ケーブルとが設けられ、前記接続体に、前記第１の配置部に配置されて前記第１の同軸ケーブルに接続される第１の接続リングと、前記第１の接続リングと同軸上に位置され前記第２の配置部に配置されて前記第２の同軸ケーブルに接続される第２の接続リングとが設けられ、前記第２の接続ユニットに、前記第２の筐体及び前記第２の接続リングを挿通されて一端部が前記第１の接続リングに接続された第３の同軸ケーブルと、前記第２の筐体を挿通されて一端部が前記第２の接続リングに接続された第４の同軸ケーブルとが設けられ、前記第１の接続ユニットと前記第２の接続ユニットのうち少なくとも一方が他方に対して前記第１の接続リングと前記第２の接続リングの軸回り方向へ回転可能とされている。
【００６５】
従って、電子機器の小型化を図ると共に高い平衡度を確保して接続装置における伝送特性の向上を図ることができる。
【発明を実施するための最良の形態】
【００６６】
以下に、本技術接続装置及び電子機器を実施するための最良の形態を添付図面に従って説明する。
【００６７】
以下に示した最良の形態は、本技術電子機器を携帯電話に適用し、本技術接続装置を携帯電話のヒンジ部に組み込まれた接続装置に適用したものである。
【００６８】
尚、本技術の適用範囲は携帯電話及び携帯電話のヒンジ部に組み込まれる接続装置に限られることはない。本技術は、音声記録再生装置、画像記録再生装置、撮像装置、情報処理装置、ネットワーク通信装置等の各種の電子機器及びこれらの各種の電子機器のヒンジ部に組み込まれる接続装置に広く適用することができる。
【００６９】
［電子機器の全体構成］
電子機器（携帯電話）１は第１のケース体２と第２のケース体３を有している（図１参照）。第１のケース体２と第２のケース体３はともに縦長の扁平な略矩形状に形成されている。
【００７０】
第１のケース体２には複数の操作釦等によって構成された操作部４が配置され、第２のケース体３には液晶パネルや有機エレクトロルミネッセンスパネル等の表示部５が配置されている。
【００７１】
電子機器１は第２のケース体３がヒンジ部６を介して第１のケース体２に対して回転可能とされている。ヒンジ部６は第１のケース体２と第２のケース体３の連結部分によって構成されている。
【００７２】
尚、電子機器１において、第２のケース体３を固定した状態にすることにより、第１のケース体２が第２のケース体３に対して回転可能とされ、第１のケース体２と第２のケース体３を互いに同時に回転させることも可能である。
【００７３】
第１のケース体２の内部にはベースバンドプロセッサー（ＢＢＰ）７とシリアライザー（ＳＥＲ）８が配置されている。
【００７４】
ベースバンドプロセッサー７は、電子機器１の通信制御やアプリケーションを実行する演算処理部として機能する。ベースバンドプロセッサー７は、制御データーや画像データー等をパラレル信号として出力する。
【００７５】
シリアライザー８は、ベースバンドプロセッサー７から出力されたパラレル信号をシリアル信号に変換して出力する機能を有している。
【００７６】
第２のケース体３の内部にはデシリアライザー（ＤＥＳ）９が配置されている。デシリアライザー９は、シリアライザー８から出力されたシリアル信号をパラレル信号に変換して出力する機能を有している。
【００７７】
ヒンジ部６には接続装置１０が組み込まれている。接続装置１０は第１のケース体２の内部に配置された第１の接続ユニット１１に対して第２のケース体３の内部に配置された第２の接続ユニット１２が回転可能な状態で連結されて成る。
【００７８】
［電子機器におけるデーター（信号）の伝送動作］
上記のように構成された電子機器１において、操作部４の所定の操作釦等が操作されると、操作釦等に対する操作に応じた信号がベースバンドプロセッサー７に入力される。ベースバンドプロセッサー７からは入力された信号に基づいたパラレル信号が出力され、出力されたパラレル信号はシリアライザー８に入力される。
【００７９】
シリアライザー８にパラレル信号が入力されると、シリアライザー８において入力されたパラレル信号がシリアル信号に変換され、変換されて生成されたシリアル信号が接続装置１０を介してデシリアライザー９に入力される。シリアル信号がデジリアライザー９に入力されると、入力されたシリアル信号がデシリアライザー９によってパラレル信号に変換される。
【００８０】
変換されて生成されたパラレル信号は表示部５に入力される。表示部５にパラレル信号が入力されると、例えば、操作部４の操作釦等に対する操作に応じた画像が表示部５に表示される。
【００８１】
［電子機器におけるケース体の回転方向］
以下に、第２のケース体３の第１のケース体２に対する回転方向について説明する（図２乃至図７参照）。尚、以下の回転方向についての説明にあっては、第１のケース体２と第２のケース体３の厚み方向をＺ方向とし、Ｚ方向に直交する２方向をそれぞれＸ方向とＹ方向とする。
【００８２】
第２のケース体３の第１のケース体２に対する回転方向としては、例えば、図２及び図３に示すように、Ｚ方向に延びる軸を支点とした回転方向があり、この場合には、第１の接続ユニット１１と第２の接続ユニット１２の連結方向がＺ方向とされる。
【００８３】
また、第２のケース体３の第１のケース体２に対する回転方向としては、例えば、図４及び図５に示すように、Ｙ方向に延びる軸を支点とした回転方向があり、この場合には、第１の接続ユニット１１と第２の接続ユニット１２の連結方向がＹ方向とされる。
【００８４】
さらに、第２のケース体３の第１のケース体２に対する回転方向としては、例えば、図６及び図７に示すように、Ｘ方向に延びる軸を支点とした回転方向があり、この場合には、第１の接続ユニット１１と第２の接続ユニット１２の連結方向がＸ方向とされる。
【００８５】
［接続装置の具体的構成］
次に、接続装置１０の具体的な構成について説明する（図８乃至図１５参照）。
【００８６】
尚、以下には、例として、第２のケース体３の第１のケース体２に対する回転方向がＺ方向に延びる軸を支点とした方向（図２及び図３参照）である場合における接続装置１０の構成について説明する。
【００８７】
以下には、第１の接続ユニット１１と第２の接続ユニット１２の連結方向を前後方向とし、第１の接続ユニット１１側を前方とし第２の接続ユニット１２側を後方として前後上下左右の方向を示すものとする。
【００８８】
但し、以下に示す前後上下左右の方向は説明の便宜上のものであり、本技術の実施に関しては、これらの方向に限定されることはない。
【００８９】
接続装置１０は第１のケース体２の内部に配置された第１の接続ユニット１１に対して第２のケース体３の内部に配置された第２の接続ユニット１２が回転可能な状態で連結されて成る（図８乃至図１１参照）。
【００９０】
第１の接続ユニット１１は金属等の導電性材料によって形成された第１の筐体１３の内部に所要の各部が配置されて成る。第１の筐体１３は図示しない接地回路に接続されており、グランド部として機能する。
【００９１】
第１の接続ユニット１１には後方に開口された内部空間１４が形成されている。内部空間１４は第１の配置部１５と第２の配置部１６と保持部１７と連通部１８と挿通部１９が前後方向において同軸上に形成されることにより構成されている。
【００９２】
第１の配置部１５と第２の配置部１６は前後に離隔して形成され、同じ大きさの円柱状に形成されている。尚、第１の配置部１５と第２の配置部１６は円柱状に限られることはなく、同一の大きさ及び形状であれば任意である。
【００９３】
保持部１７は第１の配置部１５の前側に連続して形成され、軸方向に短く第１の配置部１５より径の小さい円柱状に形成されている。尚、保持部１７は第１の配置部１５と同じ大きさ又はこれより大きくされていてもよい。
【００９４】
連通部１８は第１の配置部１５と第２の配置部１６の間に形成され、第１の配置部１５と第２の配置部１６に連通されている。連通部１８は軸方向に短い小径の円柱状に形成された中間部１８ａと軸方向に短く中間部１８ａより大径の円柱状に形成された端部１８ｂ、１８ｂとによって構成されている。端部１８ｂ、１８ｂは中間部１８ａの前後両側に位置され、保持部１７と同じ径に形成されている。
【００９５】
尚、上記には、連通部１８が中間部１８ａと端部１８ｂ、１８ｂによって構成された例を示したが、連通部１８の形状及び大きさは任意である。例えば、連通部１８は第１の配置部１５、第２の配置部１６より大きくされていてもよい。また、連通部１８が三つの部分によって構成されていなくてもよく、さらには、端部１８ｂ、１８ｂの大きさが異なるようにされていてもよい。
【００９６】
挿通部１９は第２の配置部１６の後側に連続して形成され、軸方向に短い小径の円柱状に形成された中間部１９ａと軸方向に短く中間部１９ａより大径の円柱状に形成された端部１９ｂ、１９ｂとによって構成されている。端部１９ｂ、１９ｂは中間部１９ａの前後両側に位置され、保持部１７と同じ径に形成されている。後側に位置する端部１９ｂは第１の筐体１３の後面に開口されている。
【００９７】
尚、上記には、挿通部１９が中間部１９ａと端部１９ｂ、１９ｂによって構成された例を示したが、挿通部１９の形状及び大きさは任意である。例えば、挿通部１９は第１の配置部１５、第２の配置部１６より大きくされていてもよい。また、挿通部１９が三つの部分によって構成されていなくてもよく、さらには、端部１９ｂ、１９ｂの大きさが異なるようにされていてもよい。
【００９８】
第１の筐体１３にはそれぞれ第１の同軸ケーブル２０と第２の同軸ケーブル２１が挿通されて配置されている。
【００９９】
第１の同軸ケーブル２０は導電性材料によって形成された芯線２０ａと芯線２０ａを外周側から被覆し絶縁性材料によって形成された絶縁部２０ｂと絶縁部２０ｂを外側から被覆し導電性材料によって形成されたグランド部２０ｃとから成る（図１２参照）。尚、第１の同軸ケーブル２０のグランド部２０ｃは第１の筐体１３と一体化されていても良い。
【０１００】
第１の同軸ケーブル２０は回転軸に対して垂直な状態で第１の筐体１３の下面を突き通すように配置され、一端部（上端部）２２が第１の配置部１５の内部に位置され、他端部（下端部）が第１の筐体１３の下面に位置されて第１の接続ポート２３として形成されている（図８乃至図１１参照）。第１の同軸ケーブル２０の一端部２２においては芯線２０ａが上方へ突出され、突出された芯線２０ａが第１の接点部２４に固定されて接続されている（図１３及び図１４参照）。第１の接続ポート２３には同軸コネクタが接続されるか、または第１の同軸ケーブル２０を延長する方法によって外部の信号の引き回しが行われる。
【０１０１】
第１の接点部２４は下方へ凸の緩やかな円弧状に形成されたベース部２４ａとベース部２４ａの上面から上方へ突出された摺動突部２４ｂ、２４ｂとから成り、摺動突部２４ｂ、２４ｂが左右方向に離隔して設けられている。第１の同軸ケーブル２０の一端部２２の芯線２０ａはベース部２４ａの左右方向における中央部の下面に接続されている。
【０１０２】
尚、第１の接点部２４の形状は様々考えられるためここでは限定しない。例えば、摺動突部２４ｂの数がここでは２個であるがその限りではない。また、摺動突部２４ｂを設けずベース部２４ａのみであってもよい。
【０１０３】
第１の同軸ケーブル２０の一端部２２と第１の接点部２４は第１の配置部１５における下端部に位置されている。
【０１０４】
第２の同軸ケーブル２１は導電性材料によって形成された芯線２１ａと芯線２１ａを外周側から被覆し絶縁性材料によって形成された絶縁部２１ｂと絶縁部２１ｂを外側から被覆し導電性材料によって形成されたグランド部２１ｃとから成る（図１２参照）。尚、第２の同軸ケーブル２１のグランド部２１ｃは第１の筐体１３と一体化されていても良い。
【０１０５】
第２の同軸ケーブル２１は回転軸に対して垂直な状態で第１の筐体１３の上面を突き通すように配置され、一端部（下端部）２５が第２の配置部１６の内部に位置され、他端部（上端部）が第１の筐体１３の上面に位置されて第２の接続ポート２６として形成されている（図８乃至図１１参照）。第２の同軸ケーブル２１の一端部２５においては芯線２１ａが下方へ突出され、突出された芯線２１ａが第２の接点部２７に固定されて接続されている（図１３及び図１５参照）。
【０１０６】
接続ポート２６には同軸コネクタが接続されるか、または第２の同軸ケーブル２１を延長する方法によって外部の信号の引き回しが行われる。
【０１０７】
第２の接点部２７は上方へ凸の緩やかな円弧状に形成されたベース部２７ａとベース部２７ａの下面から下方へ突出された摺動突部２７ｂ、２７ｂとから成り、摺動突部２７ｂ、２７ｂが左右方向に離隔して設けられている。第２の同軸ケーブル２１の一端部２５の芯線２１ａはベース部２７ａの左右方向における中央部の上面に接続されている。
【０１０８】
尚、第２の接点部２７の形状は様々考えられるためここでは限定しない。例えば、摺動突部２７ｂの数がここでは２個であるがその限りではない。また、摺動突部２７ｂを設けずベース部２７ａのみであってもよい。
【０１０９】
第２の同軸ケーブル２１の一端部２５と第２の接点部２７は第２の配置部１６における上端部に位置されている。
【０１１０】
第２の接続ユニット１２は金属等の導電性材料によって形成された第２の筐体２８と第２の筐体２８に固定された状態で第２の筐体２８から前方へ突出された接続体２９とを有している（図８乃至図１１参照）。
【０１１１】
第２の筐体２８は、第１の筐体１３と、第３のシールド部材３６、第３の同―軸ケーブル４２、第４の同軸ケーブル４３を介して第１のシールド部材３４と第２のシールド部材３５によって接続されているため、グランド部として機能する。
【０１１２】
接続体２９は前後に延びる略円柱状に形成され、最大外径が第１の筐体１３に形成された保持部１７、連通部１９の端部１８ｂ、１８ｂ及び挿通部１９の端部１９ｂ、１９ｂと略同じにされている。
【０１１３】
尚、接続体２９の各部は同一の径で形成されていなくてもよく、形状や大きさを種々に変更することが可能である。
【０１１４】
接続体２９は第１の接続リング３０、第２の接続リング３１、第１の配線部３２、第２の配線部３３、第１のシールド部材３４、第２のシールド部材３５、第３のシールド部材３６、第１のスペーサー３７、第２のスペーサー３８、第３のスペーサー３９、第４のスペーサー４０及び導電部材４１を有している。
【０１１５】
第１の接続リング３０と第２の接続リング３１はそれぞれ導電性材料によって円環状に形成され前後に離隔して位置されている（図１３参照）。
【０１１６】
第１の配線部３２は導電性材料によって同じ長さに形成された一対の直線状の伝導部３２ａ、３２ａがＶ字状に結合されて成り、伝導部３２ａ、３２ａの結合された部分が連結部分３２ｂとして設けられている（図１３及び図１４参照）。第１の配線部３２は第１の接続リング３０の内側に位置され、両端部が第１の接続リング３０の周方向における１８０°反対側の部分に接続されている。従って、第１の接続リング３０の内側には第１の配線部３２を挟んだ反対側にそれぞれ面積の大きい大空間３０ａと面積の小さい小空間３０ｂとが形成される。
【０１１７】
第２の配線部３３は第１の配線部３２と同じ形状及び大きさに形成され、導電性材料によって同じ長さに形成された一対の直線状の伝導部３３ａ、３３ａがＶ字状に結合されて成り、伝導部３３ａ、３３ａの結合された部分が連結部分３３ｂとして設けられている（図１３及び図１５参照）。第２の配線部３３は第２の接続リング３１の内側に位置され、両端部が第２の接続リング３１の周方向における１８０°反対側の部分に接続されている。従って、第２の接続リング３１の内側には第２の配線部３３を挟んだ反対側にそれぞれ面積の大きい大空間３１ａと面積の小さい小空間３１ｂとが形成される。
【０１１８】
第１のシールド部材３４は第１の接続リング３０の前側に離隔して位置され、金属等の導電性材料によって第１の接続リング３０と同じ形状及び大きさの円環状に形成されている。
【０１１９】
第２のシールド部材３５は第１の接続リング３０と第２の接続リング３１の間において両者に離隔して位置され、金属等の導電性材料によって形成されている。第２のシールド部材３５は軸方向に短い小径の円環状に形成された中間部３５ａと軸方向に短く中間部３５ａより大径の円環状に形成された端部３５ｂ、３５ｂとによって構成されている。端部３５ｂ、３５ｂは中間部３５ａの前後両側に位置され、第１のシールド部材３４と同じ外径に形成されている。
【０１２０】
上記には、第２のシールド部材３５が中間部３５ａと端部３５ｂ、３５ｂによって構成された例を示したが、第２のシールド部材３５の形状及び大きさは任意である。また、第２のシールド部材３５は三つの部分によって構成されていなくてもよく、さらには、端部３５ｂ、３５ｂの大きさが異なるようにされていてもよい。
【０１２１】
第３のシールド部材３６は第２の接続リング３１の後側に離隔して位置され、金属等の導電性材料によって形成されている。第３のシールド部材３６は軸方向に短い小径の円環状に形成された中間部３６ａと軸方向に短く中間部３６ａより大径の円環状に形成された端部３６ｂ、３６ｂとによって構成されている。端部３６ｂ、３６ｂは中間部３６ａの前後両側に位置され、第１のシールド部材３４と同じ外径に形成されている。
【０１２２】
上記には、第３のシールド部材３６が中間部３６ａと端部３６ｂ、３６ｂによって構成された例を示したが、第３のシールド部材３６の形状及び大きさは任意である。また、第３のシールド部材３６は三つの部分によって構成されていなくてもよく、さらには、端部３６ｂ、３６ｂの大きさが異なるようにされていてもよい。
【０１２３】
第１のスペーサー３７は樹脂材料によって絶縁体として形成され、第１のシールド部材３４と第１の接続リング３０の間に位置されている。第１のスペーサー３７は前後両面がそれぞれ第１のシールド部材３４の後面と第１の接続リング３０の前面に接した状態とされている。
【０１２４】
第２のスペーサー３８は樹脂材料によって絶縁体として形成され、第１の接続リング３０と第２のシールド部材３５の間に位置されている。第２のスペーサー３８は前後両面がそれぞれ第１の接続リング３０の後面と第２のシールド部材３５の前面に接した状態とされている。
【０１２５】
第３のスペーサー３９は樹脂材料によって絶縁体として形成され、第２のシールド部材３５と第２の接続リング３１の間に位置されている。第３のスペーサー３９は前後両面がそれぞれ第２のシールド部材３５の後面と第２の接続リング３１の前面に接した状態とされている。
【０１２６】
第４のスペーサー４０は樹脂材料によって絶縁体として形成され、第２の接続リング３１と第３のシールド部材３６の間に位置されている。第４のスペーサー４０は前後両面がそれぞれ第２の接続リング３１の後面と第３のシールド部材３６の前面に接した状態とされている。
【０１２７】
尚、上記したように、接続体２９の各部の形状や大きさは種々に変更することが可能である。例えば、シールド部材は第１の配置部１５と第２の配置部１６を分離したり、第２の配置部１６と外部を隔離できれば任意の形状及び大きさでよい。また、スペーサーはシールド部材や接続リングを保持することができれば任意の形状及び大きさでよい。
【０１２８】
導電部材４１は金属等の導電性材料によって前後方向に延びる円柱状又は円筒状に形成され、第１のシールド部材３４の後面から第２のシールド部材３５の前面に亘る位置に挿通されて配置されている。導電部材４１は第１の接続リング３０の大空間３０ａを挿通されている。
【０１２９】
第２の接続ユニット１２には第２の筐体２８と接続体２９に亘ってそれぞれ第３の同軸ケーブル４２と第４の同軸ケーブル４３が挿通されて配置されている。
【０１３０】
第３の同軸ケーブル４２は導電性材料によって形成された芯線４２ａと芯線４２ａを外周側から被覆し絶縁性材料によって形成された絶縁部４２ｂと絶縁部４２ｂを外側から被覆し導電性材料によって形成されたグランド部４２ｃとから成る（図１２参照）。尚、第３の同軸ケーブル４２のグランド部４２ｃは第２の筐体２８と一体化されていても良い。
【０１３１】
第３の同軸ケーブル４２は水平方向（回転軸と平行）に延びる状態で第２の筐体２８の内部及び接続体２９の内部に配置され、一端部（前端部）４４が第１の接続リング３０に接続された第１の配線部３２における伝導部３２ａ、３２ａが結合された部分である連結部分３２ｂに固定されて接続されている（図８乃至図１１参照）。従って、第３の同軸ケーブル４２は後側から順に第３のシールド部材３６、第４のスペーサー４０、第２の接続リング３１、第３のスペーサー３９、第２のシールド部材３５及び第２のスペーサー３８を挿通されて一端部４４が第１の配線部３２に接続されている。このとき第３の同軸ケーブル４２は第２の接続リング３１の大空間３１ａを挿通されている（図１５参照）。
【０１３２】
第３の同軸ケーブル４２は他端面が第２の筐体２８の側面に位置され、この他端面が第３の接続ポート４５として形成されている（図８及び図９参照）。接続ポート４５には同軸コネクタが接続されるか、または第３の同軸ケーブル４２を延長する方法によって外部の信号の引き回しが行われる。
【０１３３】
第４の同軸ケーブル４３は導電性材料によって形成された芯線４３ａと芯線４３ａを外周側から被覆し絶縁性材料によって形成された絶縁部４３ｂと絶縁部４３ｂを外側から被覆し導電性材料によって形成されたグランド部４３ｃとから成る（図１２参照）。尚、第４の同軸ケーブル４３のグランド部４３ｃは第２の筐体２８と一体化されていても良い。
【０１３４】
第４の同軸ケーブル４３は水平方向（回転軸と平行）に延びる状態で第２の筐体２８の内部及び接続体２９の内部に配置され、一端部（前端部）４６が第２の接続リング３１に接続された第２の配線部３３における伝導部３３ａ、３３ａが結合された部分である連結部分３３ｂに固定されて接続されている（図８乃至図１１参照）。従って、第４の同軸ケーブル４３は後側から順に第３のシールド部材３６及び第４のスペーサー４０を挿通されて一端部４６が第２の配線部３３に接続されている。このとき導電部材４１が第４の同軸ケーブル４３の同軸上に配置されている。また、第４の同軸ケーブル４３の外径は導電部材４１の外径と同じにされている。
【０１３５】
第４の同軸ケーブル４３は他端面が第２の筐体２８の側面に位置され、この他端面が第４の接続ポート４７として形成されている（図８及び図９参照）。接続ポート４７には同軸コネクタが接続されるか、または第３の同軸ケーブル４３を延長する方法によって外部の信号の引き回しが行われる。
【０１３６】
接続体２９においては、図１４及び図１５に示すように、第１の接続リング３０に接続された第１の配線部３２と第３の同軸ケーブル４２と導電部材４１の位置関係が、第２の接続リング３１に接続された第２の配線部３３と第４の同軸ケーブル４３と第３の同軸ケーブル４２の位置関係に対して第１の接続リング３０と第２の接続リング３１の軸中心Ｐを基準として点対称の関係にされている。
【０１３７】
即ち、第１の配線部３２における伝導部３２ａ、３２ａの連結部分３２ｂと第２の配線部３３における伝導部３３ａ、３３ａの連結部分３３ｂとが軸中心Ｐを基準として反対の位置にあり、第３の同軸ケーブル４２と第４の同軸ケーブル４３が軸中心Ｐを基準として反対の位置にあり、導電部材４１と第３の同軸ケーブル４２が軸中心Ｐを基準として反対の位置にある。
【０１３８】
また、接続装置１０においては、第１の同軸ケーブル２０の第１の接続ポート２３と第２の同軸ケーブル２１の第２の接続ポート２６とにシリアライザー８が接続され、第３の同軸ケーブル４２の第３の接続ポート４５と第４の同軸ケーブル４３の第４の接続ポート４７とにデジリアライザー９が接続される。従って、第１の接続ポート２３から第３の接続ポート４５までの経路と第２の接続ポート２６から第４の接続ポート４７までの経路とは、それぞれシリアライザー８とデジリアライザー９の間の信号の伝送路として機能する。第１の接続ポート２３から第３の接続ポート４５までの信号の伝送路と第２の接続ポート２６から第４の接続ポート４７までの信号の伝送路とは同じ長さにされている。
【０１３９】
［接続装置の接続状態］
上記のように構成された接続装置１０において、第１の接続ユニット１１と第２の接続ユニット１２が接続される（図９及び図１１参照）。第１の接続ユニット１１と第２の接続ユニット１２の接続は内部空間１４に接続体２９が挿入されて配置されることにより行われる。
【０１４０】
尚、内部空間１４への接続体２９の挿入は、例えば、第１の筐体１３を上下又は左右で二分割しておき、分割した一方の部分に接続体２９を挿入し分割した他方の部分を分割した一方の部分に結合することにより行われる。
【０１４１】
内部空間１４に接続体２９が配置された状態においては、保持部１７と連通部１８と挿通部１９に、それぞれ第１のシールド部材３４と第２のシールド部材３５と第３のシールド部材３６がそれぞれ嵌合された状態で配置される。保持部１７には導電部材４１の前端部も配置される。第１の配置部１５には第１の接続リング３０と第１のスペーサー３７と第２のスペーサー３８と導電部材４１の前端部を除く部分とが配置され、第２の配置部１６には第２の接続リング３１と第３のスペーサー３９と第４のスペーサー４０が配置される。
【０１４２】
内部空間１４に配置された導電部材４１は前端面が第２の筐体２８の内面に接触されている。従って、導電部材４１はグランド部として機能する。
【０１４３】
上記のように、内部空間１４に接続体２９が配置されることにより、第１の接続ユニット１１に対して第２の接続ユニット１２が接続体２９の軸回り方向へ回転可能とされる。
【０１４４】
内部空間１４に接続体２９が配置された状態においては、第１の接続リング３０の外周面が第１の同軸ケーブル２０に接続された第１の接点部２４の摺動突部２４ｂ、２４ｂに接した状態とされる。従って、第１の接続リング３０に第１の配線部３２を介して接続された第３の同軸ケーブル４２と第１の同軸ケーブル２０が第１の接点部２４を介して接続される。第２のケース体３の第１のケース体２に対する回転に伴って第２の接続ユニット１２が回転されるときには、第１の接続リング３０に第１の接点部２４の摺動突部２４ｂ、２４ｂが摺動され、第１の同軸ケーブル２０と第３の同軸ケーブル４２の接続状態が確保される。
【０１４５】
また、内部空間１４に接続体２９が配置された状態においては、第２の接続リング３１の外周面が第２の同軸ケーブル２１に接続された第２の接点部２７の摺動突部２７ｂ、２７ｂに接した状態とされる。従って、第２の接続リング３１に第２の配線部３３を介して接続された第４の同軸ケーブル４３と第２の同軸ケーブル２１が第２の接点部２７を介して接続される。第２のケース体３の第１のケース体２に対する回転に伴って第２の接続ユニット１２が回転されるときには、第２の接続リング３１に第２の接点部２７の摺動突部２７ｂ、２７ｂが摺動され、第２の同軸ケーブル２１と第４の同軸ケーブル４３の接続状態が確保される。
【０１４６】
接続装置１０にあっては、第１の同軸ケーブル２０と第３の同軸ケーブル４２の第１の接続リング３０を介しての第１の伝送系統と、第２の同軸ケーブル２１と第４の同軸ケーブル４３の第２の接続リング３１を介しての第２の伝送系統とが構成される。第１の伝送系統と第２の伝送系統は差動信号対として機能するようにされている。
【０１４７】
また、上記のように、第１の接続リング３０は第１の同軸ケーブル２０の一端部２２が接続された第１の接点部２４に接続されるため、第１の同軸ケーブル２０は第１の接続リング３０の内部空間１４の下方に位置される。第２の接続リング３１は第２の同軸ケーブル２１の一端部２５が接続された第２の接点部２７に接続されるため、第２の同軸ケーブル２１は第２の接続リング３１の上方に位置される。
【０１４８】
［接続装置における各部の作用等］
信号の伝送特性には、主に、信号線間の結合や信号線とグランド間の結合が影響する。信号線間の結合は、主として、第１の接続リング３０と第２の接続リング３１の結合であり、信号線とグランド間の結合は、主として、第１の接続リング３０と第３の同軸ケーブル４２のグランド部４２ｃとの結合、第２の接続リング３１と第３の同軸ケーブル４２のグランド部４２ｃ及び第４の同軸ケーブル４３のグランド部４３ｃとの結合、第１の接続リング３０及び第２の接続リング３１と第１の筐体１３との結合である。
【０１４９】
＜シールド構造＞
接続装置１０においては、上記したように、第１の筐体１３の内部空間１４における連通部１８に、接続体２９の第２のシールド部材３５が嵌合された状態で配置されている（図１１参照）。従って、内部空間の第１の配置部１５と第２の配置部１６が第２のシールド部材３５によってシールド（電界的に分離）され、第１の同軸ケーブル２０と第３の同軸ケーブル４２の第１の接続リング３０を介しての第１の伝送系統と第２の同軸ケーブル２１と第４の同軸ケーブル４３の第２の接続リング３１を介しての第２の伝送系統とが分離され、第１の伝送系統と第２の伝送系統が互いに干渉しない構造にされている。
【０１５０】
図１６は、第２のシールド部材３５の有無に関し、第１の同軸ケーブル２０と第３の同軸ケーブル４２を有する第１の伝送系統と第２の同軸ケーブル２１と第４の同軸ケーブル４３を有する第２の伝送系統とを差動信号対とした場合のコモンモード周波数特性を示すグラフ図である。図１６において、Ａは第１の配置部１５と第２の配置部１６を第２のシールド部材３５によってシールドしたときの測定値を示し、Ｂは第１の配置部１５と第２の配置部１６を第２のシールド部材３５によってシールドしなかったときの測定値を示す。
【０１５１】
図１６に示すように、第１の配置部１５と第２の配置部１６を第２のシールド部材３５によってシールドした場合には、コモンモードレベルが大きく低減される。
【０１５２】
このように、第１の配置部１５と第２の配置部１６を第２のシールド部材３５によってシールドすることにより、信号線間の結合度を低減することができる。
【０１５３】
従って、第１の配置部１５に配置される各部品の寸法や配置を変更しても第２の同軸ケーブル２１と第４の同軸ケーブル４３間の伝送に影響せず、また、第２の配置部１６に配置される各部品の寸法や配置を変更しても第１の同軸ケーブル２０と第３の同軸ケーブル４２間の伝送に影響しない。このように第１の配置部１５と第２の配置部１６を第２のシールド部材３５によってシールドすることにより、第１の伝送系統における伝送と第２の伝送系統における伝送との間で互いに影響が及ばない。従って、伝送特性の向上を目的として第１の配置部１５と第２の配置部１６にそれぞれ配置される各部品の寸法や配置を自由に変更することが可能になり、設計の自由度の向上による伝送特性の向上を図ることができる。
【０１５４】
また、接続装置１０にあっては、第１の筐体１３の内部空間１４における挿通部１９に接続体２９の第３のシールド部材３６が嵌合された状態で配置されている（図１１参照）。従って、内部空間１４の第２の配置部１６が第３のシールド部材３６によってシールドされ、伝送特性の一層の向上を図ることができる。また、第３のシールド部材３６が挿通部１９に嵌合されることにより外部への信号の漏洩が防止される。
【０１５５】
＜結合度の等価構造＞
導電部材４１を設けない場合には、第１の筐体１３との結合を除くと、第１の接続リング３０は第３の同軸ケーブル４２のグランド部４２ｃとの結合度が大きく、第２の接続リング３１は第３の同軸ケーブル４２のグランド部４２ｃ及び第４の同軸ケーブル４３のグランド部４３ｃの結合度が大きい。従って、導電部材４１を設けない場合には、第１の配置部１５に配置された第１の接続リング３０と第２の配置部１６に配置された第２の接続リング３１との容量結合の程度が異なってしまう。
【０１５６】
第１の接続リング３０と第２の接続リング３１の間の容量結合の差が大きくなると、第１の同軸ケーブル２０と第３の同軸ケーブル４３の間と、第２の同軸ケーブル２１と第４の同軸ケーブル４３の間との伝送特性が異なり、差動信号対の平衡度の劣化を引き起こしてしまう。
【０１５７】
そこで、接続装置１０においては、上記したように、第１の配置部１５に導電部材４１が配置され、導電部材４１がグランド部として機能する第１の筐体１３に接続されている（図１１参照）。
【０１５８】
図１７は、導電部材４１の有無に関し、第１の同軸ケーブル２０と第３の同軸ケーブル４２を有する第１の伝送系統と第２の同軸ケーブル２１と第４の同軸ケーブル４３を有する第２の伝送系統とを差動信号対とした場合のコモンモード周波数特性を示すグラフ図である。図１７において、Ｃは第１の配置部１５に導電部材４１を配置したときの測定値を示し、Ｄは第１の配置部１５に導電部材４１を配置しなかったときの測定値を示す。
【０１５９】
図１７に示すように、第１の配置部１５に導電部材４１を配置した場合には、コモンモードレベルが大きく低減される。
【０１６０】
このように第１の配置部１５に導電部材４１を配置することにより、第１の配置部１５に配置された第１の接続リング３０が導電部材４１にも結合し、第１の配置部１５に配置された第１の接続リング３０と第２の配置部１６に配置された第２の接続リング３１の容量結合の程度の差が抑制される。
【０１６１】
従って、差動信号対の平衡度の劣化が抑制され、第１の伝送系統と第２の伝送系統の伝送特性の均等化による伝送特性の向上を図ることができる。
【０１６２】
また、導電部材４１が第４の同軸ケーブル４３と同軸上に配置されているため、差動信号対の平衡度の劣化が一層抑制され、伝送特性の一層の向上を図ることができる。
【０１６３】
さらに、導電部材４１と第４の同軸ケーブル４３の外径が同じにされているため、差動信号対の平衡度の劣化がより一層抑制され、伝送特性のより一層の向上を図ることができる。
【０１６４】
また、接続装置１０においては、上記したように、第１の接続リング３０に接続された第１の配線部３２と第３の同軸ケーブル４２と導電部材４１の位置関係が、第２の接続リング３１に接続された第２の配線部３３と第４の同軸ケーブル４３と第３の同軸ケーブル４２の位置関係に対して第１の接続リング３０と第２の接続リング３１の軸中心Ｐを基準として点対称の関係にされている（図１４及び図１５参照）。
【０１６５】
従って、第１の配置部１５における第１の接続リング３０と他の各部との結合度と、第２の配置部１６における第２の接続リング３１と他の各部との結合度とに差がなく、差動信号対の平衡度が保持され、伝送特性の向上を図ることができる。
【０１６６】
＜第１の同軸ケーブルと第２の同軸ケーブルの位置関係＞
接続装置１０にあっては、上記したように、第１の同軸ケーブル２０が第１の接続リング３０の下方に位置され、第２の同軸ケーブル２１が第２の接続リング３１の上方に位置されており、第１の同軸ケーブル２０と第２の同軸ケーブル２１は第１の接続リング３０及び第２の接続リング３１を挟んで１８０°反対側に配置されている。
【０１６７】
このように第１の同軸ケーブル２０と第２の同軸ケーブル２１が第１の接続リング３０及び第２の接続リング３１を挟んで１８０°反対側に配置されることにより、第２の接続ユニット１２の第１の接続ユニット１１に対する回転位置に拘わらず、第１の同軸ケーブル２０と第１の配線部３２に対する導電部材４１の位置関係と第２の同軸ケーブル２１と第２の配線部３３に対する第４の同軸ケーブル４３の位置関係とを同一にすることができる。
【０１６８】
例えば、第１の配置部１５において下側から順に第１の同軸ケーブル２０と導電部材４１と第１の配線部３２が位置されているときには、第２の配置部１６において上側から順に第２の同軸ケーブル２１と第４の同軸ケーブル４３と第２の配線部３３が位置される（図１８参照）。従って、第１の同軸ケーブル２０と第１の配線部３２の間に遮蔽物となる導電部材４１が存在し、第２の同軸ケーブル２１と第２の配線部３３の間に遮蔽物となる第４の同軸ケーブル４３が存在する。
【０１６９】
また、第２の接続ユニット１２が１８０°回転されて第１の配置部１５において下側から順に第１の同軸ケーブル２０と第１の配線部３２と導電部材４１が位置されているときには、第２の配置部１６において上側から順に第２の同軸ケーブル２１と第２の配線部３３と第４の同軸ケーブル４３が位置される（図１９参照）。従って、第１の同軸ケーブル２０と第１の配線部３２の間に遮蔽物となる導電部材４１が存在せず、第２の同軸ケーブル２１と第２の配線部３３の間に遮蔽物となる第４の同軸ケーブル４３が存在しない。
【０１７０】
一方、第１の同軸ケーブル２０と第２の同軸ケーブル２１が第１の接続リング３０と第２の接続リング３１に対して同じ側、例えば、ともに上側又はともに下側に配置されたときには、第２の接続ユニット１２の回転位置によって第１の同軸ケーブル２０と第１の配線部３２に対する導電部材４１の位置関係と第２の同軸ケーブル２１と第２の配線部３３に対する第４の同軸ケーブル４３の位置関係とが相違してしまう。
【０１７１】
例えば、第１の配置部１５において上側から順に第１の同軸ケーブル２０と第１の配線部３２と導電部材４１が位置されているときには、第２の配置部１６において上側から順に第２の同軸ケーブル２１と第４の同軸ケーブル４３と第２の配線部３３が位置される（図２０参照）。従って、第１の同軸ケーブル２０と第１の配線部３２の間には遮蔽物となる導電部材４１が存在しないが、第２の同軸ケーブル２１と第２の配線部３３の間には遮蔽物となる第４の同軸ケーブル４３が存在する。
【０１７２】
また、第２の接続ユニット１２が１８０°回転されて第１の配置部１５において上側から順に第１の同軸ケーブル２０と導電部材４１と第１の配線部３２が位置されているときには、第２の配置部１６において上側から順に第２の同軸ケーブル２１と第２の配線部３３と第４の同軸ケーブル４３が位置される（図２１参照）。従って、第１の同軸ケーブル２０と第１の配線部３２の間には遮蔽物となる導電部材４１が存在するが、第２の同軸ケーブル２１と第２の配線部３３の間には遮蔽物となる第４の同軸ケーブル４３が存在しない。
【０１７３】
図２２は、第１の同軸ケーブル２０と第２の同軸ケーブル２１の位置関係に関し、第１の同軸ケーブル２０と第３の同軸ケーブル４２を有する第１の伝送系統と第２の同軸ケーブル２１と第４の同軸ケーブル４３を有する第２の伝送系統とを差動信号対とした場合のコモンモード周波数特性を示すグラフ図である。図１７において、Ｅは第１の同軸ケーブル２０と第２の同軸ケーブル２１が第１の接続リング３０と第２の接続リング３１を挟んで１８０°反対側に配置された状態において第２の接続ユニット１２の回転位置が変化されたときの測定値を示し、Ｆ及びＧは第１の同軸ケーブル２０と第２の同軸ケーブル２１が第１の接続リング３０と第２の接続リング３１に対して同じ側に配置された状態において第２の接続ユニット１２の回転位置が変化されたときの測定値を示す。尚、Ｅは第２の接続ユニット１２の回転位置が変化しても同一のデーターが得られ、異なる回転位置において測定された二つのデーターが重なった状態で示されている。
【０１７４】
図２２に示すように、第１の同軸ケーブル２０と第２の同軸ケーブル２１が第１の接続リング３０と第２の接続リング３１を挟んで１８０°反対側に配置された状態においては、第２の接続ユニット１２の回転位置に拘わらずコモンモードレベルが変化しない。一方、第１の同軸ケーブル２０と第２の同軸ケーブル２１が第１の接続リング３０と第２の接続リング３１に対して同じ側に配置された状態においては、第２の接続ユニット１２の回転位置が変化されたときにコモンモードレベルが大きく変化してしまう。
【０１７５】
このように第１の同軸ケーブル２０と第２の同軸ケーブル２１が第１の接続リング３０及び第２の接続リング３１を挟んで１８０°反対側に配置されることにより、第２の接続ユニット１２の第１の接続ユニット１１に対する回転位置に拘わらず、コモンモードレベルに変化が生じない。
【０１７６】
従って、第１の同軸ケーブル２０と第２の同軸ケーブル２１との間で容量結合の差が生じず、作動信号対の平衡度の劣化が抑制され第１の伝送系統と第２の伝送系統の伝達特性が同一化され、接続装置１０における伝送特性の向上を図ることができる。
【０１７７】
＜伝送時間の変動の抑制＞
接続装置１０にあっては、上記したように、第３の同軸ケーブル４２が接続された第１の配線部３２が第１の接続リング３０の周方向における１８０°反対側の部分に接続され、第４の同軸ケーブル４３が接続された第２の配線部３３が第２の接続リング３１の周方向における１８０°反対側の部分に接続されている。
【０１７８】
従って、第２の接続ユニット１２の第１の接続ユニット１１に対する回転位置に拘わらず、第１の接続リング３０と第２の接続リング３１をそれぞれ伝送される信号の伝送時間の変動を抑制することができ、接続装置１０における伝送特性の向上を図ることができる。
【０１７９】
また、上記したように、第１の接続ポート２３から第３の接続ポート４５までの信号の伝送路と第２の接続ポート２６から第４の接続ポート４７までの信号の伝送路とが同じ長さにされている。
【０１８０】
従って、第１の同軸ケーブル２０と第３の同軸ケーブル４２を有する第１の伝送系統と第２の同軸ケーブル２１と第４の同軸ケーブル４３を有する第２の伝送系統とにおける信号の伝送時間が等しくなり、伝送特性の向上を図ることができる。
【０１８１】
また、第１の接続ポート２３と第２の接続ポート２７に入力された信号がそれぞれ第１の接続リング３０において反射した場合にも第１の接続ポート２３と第２の接続ポート２７に戻る時間が等しくなり、また、第３の接続ポート４５と第４の接続ポート４７に入力された信号がそれぞれ第２の接続リング３１において反射した場合にも第３の接続ポート４５と第４の接続ポート４７に戻る時間が等しくなり、コモンモードレベルの低減を図ることができる。
【０１８２】
＜その他＞
接続装置１０にあっては、上記したように、第１の同軸ケーブル２０が第１の接点部２４に接続されており第２の接続ユニット１２の回転時に第１の接点部２４が第１の接続リング３０に摺動され、第２の同軸ケーブル２１が第２の接点部２７に接続されており第２の接続ユニット１２の回転時に第２の接点部２７が第２の接続リング３１に摺動される。
【０１８３】
従って、第１の同軸ケーブル２０と第３の同軸ケーブル４２の間の円滑かつ確実な電気的な接続を図ることができると共に第２の同軸ケーブル２１と第４の同軸ケーブル４３の間の円滑かつ確実な電気的な接続を図ることができる。
【０１８４】
尚、第１の同軸ケーブル２０、第２の同軸ケーブル２１、第３の同軸ケーブル４２及び第４の同軸ケーブル４３の各グランド部２０ｃ、２１ｃ、４２ｃ、４３ｃを第１の筐体１３と一体に形成することも可能である。
【０１８５】
第１の同軸ケーブル２０と第２の同軸ケーブル２１の長さが等しく、第３の同軸ケーブル４２と第４の同軸ケーブル４３の長さが等しい条件が維持されていれば、第１の筐体１３における第１の同軸ケーブル２０、第２の同軸ケーブル２１、第３の同軸ケーブル４２及び第４の同軸ケーブル４３の配置や第１の筐体１３に対する第１の接続ポート２３、第２の接続ポート２６、第３の接続ポート４５及び第４の接続ポート４７の位置を自由に設定することが可能である。
【０１８６】
［まとめ］
以上に記載した通り、接続装置１０及びこれを備えた電子機器１にあっては、内部空間１４に同軸上に配置された第１の接続リング３０と第２の接続リング３１を介してそれぞれ第１の同軸ケーブル２０と第３の同軸ケーブル４２及び第２の同軸ケーブル２１と第４の同軸ケーブル４３を接続し、第１の接続ユニット１１と第２の接続ユニット１２のうち少なくとも一方を他方に対して第１の接続リング３０と第２の接続リング３１の軸回り方向へ回転可能としている。
【０１８７】
従って、接続装置１０の小型化を図ると共に高い平衡度を確保して伝送特性の向上を図ることができる。
【０１８８】
［本技術］
本技術は、以下のような構成とすることができる。
【０１８９】
（１）内部空間が形成され導電性材料によって形成された第１の筐体を有する第１の接続ユニットと、導電性材料によって形成された第２の筐体と前記第２の筐体に固定された状態で前記第２の筐体から外方へ突出された接続体とを有すると共に前記接続体が前記内部空間に挿入されて前記第１の接続ユニットに連結される第２の接続ユニットとを備え、前記内部空間が第１の配置部と第２の配置部を有し、前記第１の接続ユニットに、前記第１の筐体を挿通されて一端部が前記第１の配置部に配置された第１の同軸ケーブルと、前記第１の筐体を挿通されて一端部が前記第２の配置部に配置された第２の同軸ケーブルとが設けられ、前記接続体に、前記第１の配置部に配置されて前記第１の同軸ケーブルに接続される第１の接続リングと、前記第１の接続リングと同軸上に位置され前記第２の配置部に配置されて前記第２の同軸ケーブルに接続される第２の接続リングとが設けられ、前記第２の接続ユニットに、前記第２の筐体及び前記第２の接続リングを挿通されて一端部が前記第１の接続リングに接続された第３の同軸ケーブルと、前記第２の筐体を挿通されて一端部が前記第２の接続リングに接続された第４の同軸ケーブルとが設けられ、前記第１の接続ユニットと前記第２の接続ユニットのうち少なくとも一方が他方に対して前記第１の接続リングと前記第２の接続リングの軸回り方向へ回転可能とされた接続装置。
【０１９０】
（２）前記内部空間に前記第１の配置部と前記第２の配置部を連通し前記第３の同軸ケーブルが挿通される連通部が形成され、前記接続体に、前記第１の接続リングと前記第２の接続リングの間に位置され前記連通部に配置されて前記第１の配置部と前記第２の配置部の電界を分離するシールド部材が設けられた前記（１）に記載の接続装置。
【０１９１】
（３）前記第１の配置部に導電性材料によって形成された円柱状又は円筒状の導電部材が配置され、前記導電部材が前記第３の同軸ケーブルと平行に配置され前記第１の接続リングを挿通された状態で前記第１の筐体に接触された前記（１）又は前記（２）に記載の接続装置。
【０１９２】
（４）前記導電部材を前記第４の同軸ケーブルと同軸上に配置した前記（３）に記載の接続装置。
【０１９３】
（５）前記導電部材の外径を前記第４の同軸ケーブルの外径と同じにした前記（３）に記載の接続装置。
【０１９４】
（６）前記内部空間に前記第２の配置部に連通され前記第１の筐体の外面に開口されると共に前記第３の同軸ケーブルと前記第４の同軸ケーブルが挿通される挿通部が形成され、前記接続体に、前記挿通部に配置されて前記第２の配置部と前記第１の筐体の外部との電界を分離するシールド部材が設けられた前記（１）から前記（５）の何れかに記載の接続装置。
【０１９５】
（７）前記第１の同軸ケーブルと前記第２の同軸ケーブルが前記第１の配置部及び前記第２の配置部にそれぞれ配置された前記第１の接続リングと第２の接続リングを挟んで１８０°反対側に配置された前記（３）から前記（６）の何れかに記載の接続装置。
【０１９６】
（８）前記第１の接続リングの内側と前記第２の接続リングの内側にそれぞれ両端部が前記第１の接続リングと前記第２の接続リングに接続された配線部が配置され、前記各配線部にそれぞれ前記第３の同軸ケーブルと前記第４の同軸ケーブルが接続されてそれぞれ前記第３の同軸ケーブルと前記第４の同軸ケーブルが前記各配線部を介して前記第１の接続リングと前記第２の接続リングに接続され、前記各配線部の両端部がそれぞれ前記第１の接続リングと前記第２の接続リングの周方向における１８０°反対側の部分に接続された前記（１）から前記（７）の何れかに記載の接続装置。
【０１９７】
（９）前記第１の配置部に導電性材料によって形成された円柱状又は円筒状の導電部材が配置され、前記導電部材が前記第３の同軸ケーブルと平行に配置され前記第１の接続リングを挿通された状態で前記第１の筐体に接触され、前記第１の接続リングに接続された配線部と前記第３の同軸ケーブルと前記導電部材の位置関係が、前記第２の接続リングに接続された配線部と前記第４の同軸ケーブルと前記第３の同軸ケーブルの位置関係に対して前記第１の接続リングと前記第２の接続リングの軸中心を基準として点対称の関係にされた前記（８）に記載の接続装置。
【０１９８】
（１０）前記第１の筐体の外面に第１の接続ポートとして形成される前記第１の同軸ケーブルの他端面が位置され、前記第１の筐体の外面に第２の接続ポートとして形成される前記第２の同軸ケーブルの他端面が位置され、前記第２の筐体の外面に第３の接続ポートとして形成される前記第３の同軸ケーブルの他端面が位置され、前記第２の筐体の外面に第４の接続ポートとして形成される前記第４の同軸ケーブルの他端面が位置され、信号の伝送路になる前記第１のポートから前記第３のポートまでの長さと信号の伝送路になる前記第２のポートから前記第４のポートまでの長さとが同じにされた前記（１）から前記（９）の何れかに記載の接続装置。
【０１９９】
（１１）前記第１の同軸ケーブルの一端部と前記第２の同軸ケーブルの一端部にそれぞれ接点部が取り付けられ、前記各接点部がそれぞれ前記第１の接続リングと前記第２の接続リングに接触され、前記第１の接続ユニット又は前記第２の接続ユニットの回転に伴って前記各接点部が前記第１の接続リングと前記第２の接続リングにそれぞれ摺動されるようにした前記（１）から前記（１０）の何れかに記載の接続装置。
【０２００】
（１２）内部空間が形成され導電性材料によって形成された第１の筐体を有する第１の接続ユニットが内部に配置された第１のケース体と、導電性材料によって形成された第２の筐体と前記第２の筐体に固定された状態で前記第２の筐体から外方へ突出された接続体とを有すると共に前記接続体が前記内部空間に挿入されて前記第１の接続ユニットに連結される第２の接続ユニットが内部に配置された第２のケース体とを備え、前記内部空間が第１の配置部と第２の配置部を有し、前記第１の接続ユニットに、前記第１の筐体を挿通されて一端部が前記第１の配置部に配置された第１の同軸ケーブルと、前記第１の筐体を挿通されて一端部が前記第２の配置部に配置された第２の同軸ケーブルとが設けられ、前記接続体に、前記第１の配置部に配置されて前記第１の同軸ケーブルに接続される第１の接続リングと、前記第１の接続リングと同軸上に位置され前記第２の配置部に配置されて前記第２の同軸ケーブルに接続される第２の接続リングとが設けられ、前記第２の接続ユニットに、前記第２の筐体及び前記第２の接続リングを挿通されて一端部が前記第１の接続リングに接続された第３の同軸ケーブルと、前記第２の筐体を挿通されて一端部が前記第２の接続リングに接続された第４の同軸ケーブルとが設けられ、前記第１の接続ユニットと前記第２の接続ユニットのうち少なくとも一方が他方に対して前記第１の接続リングと前記第２の接続リングの軸回り方向へ回転可能とされた電子機器。
【０２０１】
上記した技術の最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０２０２】
【図１】図２乃至図２２と共に本技術接続装置及び電子機器を示すものであり、本図は、電子機器の概念図である。
【図２】図３と共に第２のケース体の第１のケース体に対する回転方向がＺ方向に延びる軸を支点とした回転方向である例を示すものであり、本図は、第２のケース体が第１のケース体に対して回転される前の状態を示す斜視図である。
【図３】第２のケース体が第１のケース体に対して回転された状態を示す斜視図である。
【図４】図５と共に第２のケース体の第１のケース体に対する回転方向がＹ方向に延びる軸を支点とした回転方向である例を示すものであり、本図は、第２のケース体が第１のケース体に対して回転される前の状態を示す斜視図である。
【図５】第２のケース体が第１のケース体に対して回転された状態を示す斜視図である。
【図６】図７と共に第２のケース体の第１のケース体に対する回転方向がＸ方向に延びる軸を支点とした回転方向である例を示すものであり、本図は、第２のケース体が第１のケース体に対して回転される前の状態を示す斜視図である。
【図７】第２のケース体が第１のケース体に対して回転された状態を示す斜視図である。
【図８】第１の接続ユニットと第２の接続ユニットを分離して示す接続装置の拡大斜視図である。
【図９】接続装置の拡大斜視図である。
【図１０】第１の接続ユニットと第２の接続ユニットを分離した状態で示す接続装置の一部を示す拡大断面図である。
【図１１】接続装置の一部を示す拡大断面図である。
【図１２】同軸ケーブルの拡大断面図である。
【図１３】各同軸ケーブルと各接続リング等を示す拡大斜視図である。
【図１４】第１の接続リングに対する各部の接続状態を示す拡大背面図である。
【図１５】第２の接続リングに対する各部の接続状態を示す拡大背面図である。
【図１６】第２のシールド部材の有無に関し、第１の伝送系統と第２の伝送系統を差動信号対とした場合のコモンモード周波数特性を示すグラフ図である。
【図１７】導電部材の有無に関し、第１の伝送系統と第２の伝送系統を差動信号対とした場合のコモンモード周波数特性を示すグラフ図である。
【図１８】図１９と共に第１の同軸ケーブルと第２の同軸ケーブルが第１の接続リングと第２の接続リングを挟んで１８０°反対側に配置されたときの各部の位置関係を示すものであり、本図は、第２の接続ユニットが所定の位置に回転されている状態を示す拡大斜視図である。
【図１９】図１８に対して第２の接続ユニットが１８０°回転された状態を示す拡大斜視図である。
【図２０】図２１と共に第１の同軸ケーブルと第２の同軸ケーブルが第１の接続リングと第２の接続リングに対して同じ側に配置されたときの各部の位置関係を示すものであり、本図は、第２の接続ユニットが所定の位置に回転されている状態を示す拡大斜視図である。
【図２１】図２０に対して第２の接続ユニットが１８０°回転された状態を示す拡大斜視図である。
【図２２】第１の同軸ケーブルと第２の同軸ケーブルの位置関係に関し、第１の伝送系統と第２の伝送系統を差動信号対とした場合のコモンモード周波数特性を示すグラフ図である。
【符号の説明】
【０２０３】
１…電子機器、１０…接続装置、１１…第１の接続ユニット、１２…第２の接続ユニット、１３…第１の筐体、１４…内部空間、１５…第１の配置部、１６…第２の配置部、１８…連通部、１９…挿通部、２０…第１の同軸ケーブル、２１…第２の同軸ケーブル、２３…第１の接続ポート、２４…第１の接点部、２６…第２の接続ポート、２７…第２の接点部、２８…第２の筐体、２９…接続体、３０…第１の接続リング、３１…第２の接続リング、３２…第１の配線部、３３…第２の配線部、３５…第２のシールド部材、３６…第３のシールド部材、４１…導電部材、４２…第３の同軸ケーブル、４３…第４の同軸ケーブル、４５…第３の接続ポート、４７…第４の接続ポート
【図１】
2013098071.tif 000003
【図２】
2013098071.tif 000004
【図３】
2013098071.tif 000005
【図４】
2013098071.tif 000006
【図５】
2013098071.tif 000007
【図６】
2013098071.tif 000008
【図７】
2013098071.tif 000009
【図８】
2013098071.tif 000010
【図９】
2013098071.tif 000011
【図１０】
2013098071.tif 000012
【図１１】
2013098071.tif 000013
【図１２】
2013098071.tif 000014
【図１３】
2013098071.tif 000015
【図１４】
2013098071.tif 000016
【図１５】
2013098071.tif 000017
【図１６】
2013098071.tif 000018
【図１７】
2013098071.tif 000019
【図１８】
2013098071.tif 000020
【図１９】
2013098071.tif 000021
【図２０】
2013098071.tif 000022
【図２１】
2013098071.tif 000023
【図２２】
2013098071.tif 000024